(57)【要約】  心臓の左心室を感知／ペーシングするためのリードが、近位部分と遠位部分を有するリード本体と、リード本体の中を貫いて延びているルーメンと、近位部分から遠位部分までリード本体の中を貫いて延びている導線と、リード本体の遠位部分に配置され、導線に電気的に結合された電極とを含む。リード本体の遠位先端は、冠状静脈洞の選択した分枝にアクセスするために、スタイレットをルーメンの中に通して遠位部分で前進／引き出しを行うと、連続的に偏向させることができる。リード本体の遠位先端の、遠位先端を連続的に偏向させる手前又はその後に、オフセットされてもよい。
2009531084.tif 000002
【特許請求の範囲】
【請求項１】
近位部分（３４）及び遠位部分（３６）を有し、前記遠位部分（３６）が少なくとも第１の連続的に偏向可能な予備成形された曲率を有する、リード本体（３２）と、
前記リード本体（３２）の中を貫いて延びているルーメン（４３）と、
前記近位部分（３４）から前記遠位部分（３６）まで、前記リード本体（３２）の中を貫いて延びている導線（３８）と、
前記リード本体（３２）の前記遠位部分（３６）に配置され、前記導線（３８）に電気的に結合された電極（４４）と
を備える、心臓（１２）の左心室（２３）用の電気リード（１０）。
【請求項２】
前記リード本体（３２）の前記遠位部分（３６）が、一定の曲率半径を有する、請求項１に記載の前記リード（１０）。
【請求項３】
前記リード本体（３２）の前記遠位部分（３６）の曲率半径が約０．４インチ（約１０．１６ｍｍ）であり、前記リード本体（３２）の弧長が約１．５インチ（約３８．１ｍｍ）である、請求項２に記載の前記リード（１０）。
【請求項４】
前記リード本体（３２）の前記遠位部分（３６）が、遠位方向に次第に小さくなる曲率半径を有する、請求項１に記載の前記リード（１０）。
【請求項５】
前記リード本体（３２）の前記遠位部分（３６）の曲率半径が、約０．２（約５．０８ｍｍ）インチから約１．５インチ（約３８．１ｍｍ）の範囲内で変化し、前記リード本体（３２）の前記遠位部分（３６）の弧長が、約０．７インチ（約１７．７８ｍｍ）から約３インチ（約７６．２ｍｍ）である、請求項４に記載の前記リード（１０）。
【請求項６】
前記リード本体（３２）の前記遠位部分（３６）が、遠位方向に次第に大きくなる曲率半径を有する、請求項１に記載の前記リード（１０）。
【請求項７】
前記リード本体（３２）の前記遠位部分（３６）の曲率半径が、約０．２インチ（約５．０８ｍｍ）から約１．５インチ（約３８．１ｍｍ）の範囲内で変化し、前記リード本体（３２）の前記遠位部分（３６）の弧長が、約０．７（約１７．７８ｍｍ）インチから約３インチ（約７６．２ｍｍ）である、請求項６に記載の前記リード（１０）。
【請求項８】
前記リード本体（３２）前記遠位部分（３６）が、前記近位部分（３４）より可撓性があり、前記リード本体（３２）が、前記遠位部分（３６）と前記近位部分（３４）の間に位置する移行領域（４６）を含み、前記移行領域（４６）が、前記リード本体（３２）の前記最も遠位の約１インチ（約２５．４ｍｍ）から約４インチ（約１０１．６ｍｍ）の範囲内にある、請求項１に記載の前記リード（１０）。
【請求項９】
オフセット形体（５２）をさらに備える、請求項１に記載の前記リード（１０）。
【請求項１０】
安定形状（５４）をさらに備える、請求項１に記載の前記リード（１０）。
【請求項１１】
前記連続的に偏向可能な予備成形された曲率が、弧長１ｍｍ当たりの曲率半径の最大変化０．５ｍｍを有する、請求項１に記載の前記リード（１０）。
【請求項１２】
スタイレット（５０）を前記ルーメン（４３）の中に通して前記遠位部分（３６）で前進／引き出しを行うときに、前記リード本体（３２）の前記遠位部分（３６）が連続的に偏向可能である、請求項１に記載の前記リード（１０）。
【発明の詳細な説明】
【技術分野】
【０００１】
本発明は、身体の解剖学的空間にアクセスするための医療器具及び方法に関する。より詳細には、本発明は、心臓の左心室にアクセスにするための改善された安定性を備えるリードと、そのリードを埋め込むための方法に関する。
【背景技術】
【０００２】
当技術分野では、心臓の不規則な収縮を電気刺激で治療するための埋め込み可能な医療器具がよく知られている。かかる埋め込み可能な器具の最も一般的な形式には、除細動器とペースメーカがある。従来技術では、様々なタイプの除細動器／ペースメーカ用電気リード線が提案されている。
【０００３】
こういった広範な心臓リード群は、経静脈的に留置されることを特徴とする。こういったリードは、静脈アクセス部位から患者の血管系内に導き入れられ、静脈を通って、リードの電極が埋め込まれる位置又は冠動脈組織に接触する部位まで移動する。経静脈的に留置されるリード群に含まれる大きな１つの系統は、右心房又は右心室の心内膜（心臓の内部を裏張りする組織）に埋め込まれるものである。経静脈的に留置されるリード群に含まれるもう１つの系統は、左心室を刺激するために、心臓の静脈系の分枝血管に留置されるものである。
【０００４】
一般に、リードを患者の血管系の中に通して方向付けるのは心臓医にとって難題であるといってよい。例えば、心臓静脈系の分枝血管に留置されるリードは、冠状静脈洞入口部に通し、冠状静脈洞の中を通してから、所望の分枝血管内へと、心臓の右心房まで進めなければならない。リードの留置を助けるために、医者は一般に、ガイド・ワイヤ、すなわち予め形成された屈曲部を遠位端に有するカテーテルなどの器具を使用する。その器具の近位端を回転式に操作することによって、器具の遠位端を、例えば分枝の入口の方などの望む方向に向けることができる。器具の留置が完了してから、リードをガイド・ワイヤに被せて、あるいはカテーテルの内部の中に入れて電極留置部位まで辿らせる。
【発明の開示】
【発明が解決しようとする課題】
【０００５】
場合によっては、最初に前もって電極留置部位まで別の器具を進めることなく、リードの配置を行いたいという医者の要望もある。だがしかし、リードのもつ可撓的性質は、ほとんど操縦特性がない、すなわち近位操作に対する遠位応答をほとんど示さない。この問題に対する１つの答えは、一定の形と操縦特性を与えるためにスタイレットすなわちガイド・ワイヤ（以下単にスタイレットと呼ぶ）が中心ルーメン（管腔）に入っているリードを配置することである。この場合、リードを留置したらスタイレットは取り除く。
【０００６】
もう一つの答えは、例えば冠状静脈洞の分枝静脈などの特定の解剖的特徴へのアクセスを容易にするように適合された曲率を有するリードの遠位端を予め形成することである。場合によっては、リードの遠位曲率をうまく生かすように、リードの遠位端を分枝静脈の向きに厳密に合わせることが困難なこともある。当技術分野では、電気リードの遠位端を所望の解剖学的特徴の向きに合わせるための器具及び方法が必要である。
【課題を解決するための手段】
【０００７】
一実施態様では、本発明は、心臓の左心室用の電気リードである。このリードは、近位部分と遠位部分を有するリード本体を含み、その遠位部分が、少なくとも第１の予備成形曲率を有する。１つ又は複数のルーメンが、リード本体の中を貫いて延びている。１つ又は複数の導線が、近位部分から遠位部分までリード本体の中を貫いて延びている。１つ又は複数の電極が、リード本体の遠位部分に配置され、その導線に電気的に結合される。スタイレットをルーメンの中に通して湾曲領域で前進／引き出しを行うときに、リード本体の遠位部分が連続的に偏向可能である。
【０００８】
他の実施態様では、本発明は、心臓の左心室用の電気リードである。リードは、近位部分と遠位部分を有するリード本体を含み、その遠位部分が、少なくとも第１の予備成形曲率を有する。１つ又は複数のルーメンが、リード本体の中を貫いて延びている。１つ又は複数の導線が、近位部分から遠位部分までリード本体の中を貫いて延びている。１つ又は複数の電極が、リード本体の遠位部分に配置され、その導線に電気的に結合される。スタイレットをルーメンの中に通して湾曲領域で前進／引き出しを行うときに、リード本体の遠位部分が連続的に偏向可能である。リードがさらに、リード本体にオフセット形体を含む。
【０００９】
さらに他の実施態様では、本発明は、心臓の左心室にリードを埋め込む方法である。スタイレットが、リードのルーメン内に事前装入される。スタイレットとリードが、冠状静脈洞内に進められる。スタイレットをリードの遠位部分の中に通して前進／引き出すことによって、リードの遠位先端が滑らかに偏向される。冠状静脈洞の選択した分枝に、その遠位先端でアクセスし、リードの遠位先端が冠状静脈洞の選択した分枝に留置される。
【００１０】
複数の実施態様を開示したが、本発明の例示的実施態様を示し説明する以下の詳細な説明から、本発明の他の実施態様が当業者には明らかになるであろう。したがって、図面及び詳細な説明は、限定的ではなく例示的な性質のものであるとみなされたい。
【発明を実施するための最良の形態】
【００１１】
本発明は様々な変更形態及び代替形態に適合するが、特定の実施形態を例として図面に示し、下記に説明する。しかし、本発明を、この説明する特定の実施形態に限定する意図はない。本発明はむしろ、添付の特許請求の範囲によって定義される本発明の範囲内に入るすべての変更形態、均等物及び代替形態を包含するためのものである。
【００１２】
図１は、右心房１４を経由して心臓１２にアクセスしている電気リード１０の斜視図である。電気リード１０は、右心房１４内に延び、冠状静脈洞入口部１６を通って冠状静脈洞１８内に入っている。中心心臓静脈２２、つまり冠状静脈洞１８の分枝静脈にアクセスしている、電気リード１０の遠位先端２０が示されている。電気リード１０は、中心心臓静脈２２に位置決めされると、心臓１２の電気的活動の感知、又は左心室２３における心臓１２への刺激パルスの印加に使用することができる。他の実施形態では、電気リード１０は、心臓機能管理の技術分野で知られている、その他任意の冠状静脈洞１８の分枝静脈にアクセスするように動作可能である。例えば、大心静脈２４、左辺縁静脈２６、左心室後静脈２８又は小心静脈３０へのアクセスに使用することができる。
【００１３】
図２、３は、本発明の一実施形態による電気リード１０の詳細断面図である。この例示されている実施形態では、電気リード１０は、外側シース４０と内側シース４２の間に挟まれた導電性のコイル３８で構成される、細長い可撓性のあるリード本体３２を含む。内側シース４２は、遠位先端２０で開いているルーメン４３を形成している。１つ又は複数の電極４４がリード本体３２に沿って配置され、コイル３８と電気的に通じている。ただし、本発明によるリードは、この上述の構造に限定されない。リード１０はむしろ、当技術分野で知られている任意の構成を有することができる。例えば、リードは、より少ない又は多い数のルーメン４４や、非コイル状の導線３８、あるいは当技術分野で知られているその他の特徴を含むことができる。他の例では、リード１０は、各電極４４が別個の導線３８と電気的に通じている、二極式であってもよい。
【００１４】
リード本体３２は、近位部分３４と遠位部分３６を有する。図３に示されている遠位部分３６は遠位先端２０で終端し、近位部分３４は、リード本体３２の残りを形成する。近位部分３４は、１つ又は複数の電極４４を心臓１２に左心室２３で接触させるために、遠位部分３６を血管系の中に通し操作されて、遠位先端２０を冠状静脈洞２０の分枝に配置するよう動作可能である。
【００１５】
全般に真っ直ぐな、すなわち直線状の電気リード１０が、リード本体３２の詳細を、よりはっきりと表すために図２及び３に示されている。ただし、本発明によれば、図４〜６に示されているように、電気リード１０の近位部分３４は全般に真っ直ぐ、すなわち偏向がなく、遠位部分３６は湾曲、すなわち偏向している。遠位部分３６の曲率により、冠状静脈洞１８の分枝静脈へのアクセスが容易になる。電気リード１０の遠位部分３６は、特定の分枝静脈へのアクセスを容易にするように、あるいは疾病又はその他の異常による例外的な患者の心臓の解剖学的構造に対応できるように、様々な構成を有することができる。
【００１６】
図５に示すように、遠位部分３６の曲率は、主として２次元、すなわち単一の平面内にある。ただし、図４に示されている他の実施形態によれば、遠位部分３６の曲率は平面上にない。
【００１７】
電気リード１０の遠位部分３６の曲率は、曲率半径Ｒ1及び弧長Ａ1で定義可能である。図４〜６に示されている実施形態では、Ｒ1は、リード本体３２の遠位部分３６全体にわたって一定である。曲率半径Ｒ1は、患者の解剖学的構造に応じて、さらに心臓の静脈系のどの分枝にアクセスするかに応じて、サイズを大きく、又は小さくすることができる。例えば、一実施形態では、リード本体３２の遠位部分３６の曲率半径Ｒ1は、いずれも１本のリード内で一定であり、約０．２インチから約０．８インチである。一実施形態では、Ｒ1は約０．４インチ＋／−０．０４インチである。
【００１８】
弧長Ａ1もまた、患者の解剖学的構造に応じて、かつ心臓の静脈系のどの分枝にアクセスするかに応じて、サイズを大きく、又は小さくすることができる。例えば、一実施形態では、リード本体３２の遠位部分３６の曲率半径Ａ1は、約０．７５インチから約３インチである。一実施形態では、Ａ1は約１．５インチ＋／−０．５インチである。
【００１９】
リード本体３２の遠位部分３６は、当技術分野で知られている様々な手段に応じた曲率半径Ｒ1で予備成形することができる。例えば、シース４０及び／又は４２を熱硬化してもよく、あるいは導線３８を可塑的に変形させて遠位部分３６に曲率を付与してもよい。
【００２０】
リード本体３２の様々な領域において、曲げに対する一層高い剛性すなわち抵抗力を与えてもよい。一実施形態では、リード本体３２の近位部分３４は、遠位部分３６に対して一層高い剛性を有する。より剛性の高い近位部分３４からより剛性の低い遠位部分３６へと移行する移行領域４６が、リード本体３２に形成される。ただし、変化をつけた剛性を有する領域は、近位部分３４と遠位部分３６とに、必ずしも直接対応していない。したがって、図５及び６では、移行領域４６は近位部分３４と遠位部分３６の間に位置しているが、他の実施形態では、移行領域４６を、リード本体３２の最も遠位の約１インチから約４インチに沿った任意の場所に形成することができる。さらに、様々な可撓性又は剛性を有する領域を複数含んだ単一のリードに、複数の移行領域４６を形成してもよい。
【００２１】
図８〜１５に、本発明の様々な実施形態による、様々な構成を有するリードが示されている。図８に示されているように、一実施形態では、リード本体３２の遠位部分３６の曲率半径Ｒ1は、遠位方向に連続的に次第に小さくなる。この形状により、スタイレット５０をリード本体３２の遠位部分３６の中に通して挿入／引き出しを行うと、変化をつけた連続的な先端の偏向すなわち角度形成が可能になる。さらに、遠位半径がより小さくなっていることによって、電極と組織の接触が改善され、鋭角の分岐点へのアクセスが可能になる。図８に全体が示されている実施形態の遠位部分３６の曲率半径Ｒ1は、近位から遠位の方向に約１．５インチから約０．２インチの任意の値を連続的にとることができ、遠位部分３６の弧長Ａ1は、約０．７インチから約３インチである。一実施形態では、Ｒ1は遠位部分３６の最も近位の点で約１．５インチ、遠位部分３６の最も遠位の点で約０．２インチである。
【００２２】
図９に示すように、他の実施形態では、リード本体３２の遠位部分３６の曲率半径Ｒ1は、遠位方向に連続的に次第に大きくなる。この形状により、スタイレット５０をリード本体３２の遠位部分３６の中に通して挿入し／引き出すと、連続的に変化をつけた先端の偏向すなわち角度形成が可能になる。遠位半径が大きくなっていることによって、遠位先端２０が逸れる可能性が小さくなり、緩やかな、すなわち鈍角の分岐点へのアクセスにも役立つ。近位半径が小さくなっていることによって、より大きい半径に対する固定を改善することできる。最後に、曲率半径が連続的に次第に大きくなることによって、遠位部分３６のより半径が小さい部分が、スタイレット５０のより剛性がある（すなわち、より近位の）部分によって確実に支持され、簡単に真っ直ぐになる遠位部分３６のより半径が大きい部分が、スタイレット５０のより可撓性のある（すなわち、遠位の）部分によって確実に支持される。
【００２３】
本明細書で使用される限り、「連続的」は、単位弧長当たりの単位曲率半径の最大変化を表す。一実施形態では、遠位部分の曲率半径は、リードの弧長に沿って１ｍｍ当たり０．５ｍｍ以下だけ増減する。他の実施形態では、遠位部分の曲率半径は、リード１０の弧長に沿って１ｍｍ当たり０．２ｍｍ以下だけ増減する。
【００２４】
図１０〜１４には、リード本体３２の遠位部分３６が連続的な曲率半径をやはり有し、近位部分３４からオフセットされている、本発明によるリードの様々な実施形態が示されている。下記の実施形態に示されている特徴は上述の任意の実施形態に組み込むことができる。
【００２５】
図１０には、電気リード１０が、遠位部分３６の近位にオフセット形体５２を含む、一実施形態が示されている。オフセット形体５２は、遠位部分３６と反対方向に湾曲した、すなわち逆の曲率を有するリード本体３２の領域からなる。オフセット形体５２により、遠位部分３６は疑問符のような形状になる。電気リード１０の上述の任意の実施形態で、オフセット形体５２を含むことができる。一実施形態では遠位部分３６の曲率半径Ｒ1は、約０．２インチから約１．５インチの範囲内で変化し、遠位部分３６の弧長Ａ1は約０．７インチから約３インチである。オフセット形体５２は、約０．２ンチから約１．５インチの曲率半径Ｒ2と、約０．３インチから約１．５インチの弧長Ａ2を有する。遠位部分３６の半径が連続的になっていることによって、スタイレット５０を挿入し引き出すときに、連続的な、すなわち滑らかに変化をつけた先端２０の偏向すなわち角度形成が可能になる。オフセット形体５２を用いることによって、固定を改善するために、電気リード１０と電気リード１０が配置される血管との間により多くの接触点が形成される。
【００２６】
図１１には、電気リード１０の他の実施形態が示されている。図１１の電気リード１０は、図１０に示されている実施形態と多くの点で似ている。ただし、図１１の実施形態では、オフセット形体５２は、リード本体３２の角度的にオフセットが形成された領域、すなわち図１０に示されているように曲線状ではなくエルボ形をした領域である。オフセット形体５２の角度αには、約９０°から約１６０°まで変化をつけることができる。
【００２７】
図１２には、オフセット形体５２が、遠位部分３６の近位におけるリード本体３２の第２の曲率である、電気リード１０の他の実施形態が示されている。オフセット形体５２は、遠位部分３６より小さい曲率半径を有し、リード本体３２の直線区間によって遠位部分３６の曲率から分離されている。遠位曲率半径Ｒ1は、約０．４インチから約１．５インチであり、その範囲内で変化をつけることができる。遠位部分の弧長Ａ1は、約０．５インチから約２．０インチである。オフセット形体５２は、約０．２インチから約０．６インチの曲率半径Ｒ2と、約０．３インチから約１インチの弧長Ａ2を有する。遠位部分３６の曲率半径が連続的になっていることによって、スタイレット５０を挿入し引き出すときに、滑らかに変化をつけた先端２０の偏向すなわち角度形成が可能になる。遠位部分３６の半径がより大きくなっていることによって、先端２０が逸れる可能性が低くなり、緩やかな、すなわち鈍角の分岐点へのアクセスにも役立つ。オフセット形体５２の半径がより小さくなっていることによって、遠位部分３６のより大きい半径に対する血管内の電気リード１０の固定を改善することができる。最後に、オフセット形体５２のより半径が小さい部分が、スタイレット５０のより剛性がある（すなわち、より近位の）部分によって支持され、簡単に真っ直ぐになる遠位部分３６のより半径が大きい部分が、スタイレット５０のより可撓性のある（すなわち、遠位の）部分によって支持される。
【００２８】
図１３には、電気リード１０の他の実施形態が示されている。図１３の電気リード１０は、図１２に示されている実施形態と多くの点で似ている。ただし、図１３の実施形態では、オフセット形体５２は、リード本体３２の角度的にオフセットが形成された領域、すなわち図１２に示されているように曲線状ではなく、遠位部分３６の曲率と同じ方向にエルボ形をした領域である。オフセット形体５２の角度αには、約９０°から約１５０°まで変化をつけることができる。オフセット形体５２により、スタイレット５０をオフセット形体５２の中に通して引き出し／挿入を行うと、先端２０は旋回すなわち鋭く偏向するが、スタイレット５０を遠位部分３６の中に通して挿入／引き出しを行うと、旋回動作すなわち偏向動作が滑らかに変化する。
【００２９】
図１４には、オフセット形体５２が、遠位部分３６の曲率の遠位にある、リード本体３２の角状エルボ形の領域である、電気リード１０の他の実施形態が示されている。オフセット形体５２は、電気リード１０の遠位先端２０の近位又はほぼ近位にある。この形状により、スタイレット５０を遠位部分３６の中に通して挿入し引き出すと、滑らかに変化をつけた先端の偏向すなわち角度形成が可能になる。一方、オフセット領域５２が支持されていないと、遠位先端２０が内向きに向いて、電極４４と心臓１２の組織との接触がより良好になる。
【００３０】
図１５には、電気リード１０が、リード本体３２の遠位部分３６に安定形状５４を備える、他の実施形態が示されている。この実施形態では、複数の安定形状５４が、遠位部分３６とオフセット形体５２の曲率の外側接線に沿って配置されている。この安定形状５４は、リード本体３２から突出て、リードを移動させる、すなわち取り除くのに打ち勝たなければない摩擦力を増大させる。安定形状５４はまた、リード１０の遠位先端２０の操縦特性の制御に役立つ。この実施形態では、安定形状５４は歯状である。ただし、安定形状５４は、シリコン製の歯、ピン、板ばねなどを含む、その他の任意の突出形状を有することができる。さらに、上述の電気リード１０の実施形態はいずれも、安定形状５４を含むことができる。
【００３１】
電気リード１０は、冠状静脈洞入口部１６を介して冠状静脈洞１８の分枝血管にアクセスするために、血管系を通って進められる。図７に示されているスタイレット５０は、電気リード１０を進めるときに、電気リード１０に対して支持を設け、一定の形を与え、偏向を可能にするために使用することができる。スタイレット５０は電気リード１０よりも剛性があるので、電気リード１０は、スタイレット５０の形状と共形となるように部分的又は完全に曲がる。スタイレット５０は、真っ直ぐでも、湾曲、すなわち偏向がある領域を含んでもよい。それによって、電気リード１０は部分的又は完全にスタイレット５０の形状を帯びる。
【００３２】
図１６は、本発明の一実施形態による電気リードを用いて、冠状静脈洞１８の分枝血管にアクセスする方法１００を示すブロック図である。スタイレット５０が、図７に示されているようにルーメン４３内に事前装入される（ブロック１１０）。組み立てられたスタイレット５０と電気リード１０が、患者の血管系を通って右心房１４に進められ、冠状静脈洞入口部１６を通って冠状静脈洞１８内に進められる（ブロック１２０）。電気リード１０が冠状静脈洞１８の分枝の方に進められると、リード本体３２の遠位部分３６をスタイレット５０から支持解除するために、スタイレット５０がわずかに引き出される（ブロック１３０）。支持解除されたリード本体３２は、遠位部分３６の予備成形された曲率に戻る。図７に破線で示されているように、スタイレット５０を遠位部分３６のルーメン４３の中に通して引き出し／前進させると、電気リード１０の遠位先端２０がリード本体３２の近位部分３４に対して偏向する。この遠位先端２０の偏向すなわち角度形成が、電気リード１０を血管系の中に通す操作と、冠状静脈洞２０の選択した分枝へのアクセスに使用される（ブロック１４０）。選択した分枝にアクセスすると、電極４４を分枝血管内に心臓１２に接触して留置するために、電気リード１０が遠位方向に進められる（ブロック１５０）。遠位先端２０及び電極４４が電極留置部位に配置された後、左心室２３をペーシング／感知するために心臓１２内に埋め込こまれた電気リード１０を残して、スタイレット５０が引き出される（ブロック１６０）。
【００３３】
本発明による電気リード１０の形状により、冠状静脈洞１８の分枝にアクセスするための、より簡単に動作可能なリードが実現する。具体的には、遠位部分３６の曲率半径が連続的なので、スタイレット５０を遠位部分３６の中に通して前進／引き出しを行うと、遠位先端２０が滑らかに旋回する、つまり先端２０が連続的に偏向すなわち角度を形成する。その結果、遠位先端２０の急変、ぎくしゃくした動作及び急な位置変化が回避される。したがって、先端２０の偏向すなわち角度形成がいっそう予測可能になって、より効率的な挿入手続きが実現する。
【００３４】
様々な変更及び追加を、本発明の範囲から逸脱することなしに、説明した例示的実施形態に行うことができる。例えば、上述の実施形態は特定の特徴を示すが、本発明の範囲は、異なった特徴の組合せを有する実施形態や、説明した全ての特徴を含んでいるわけではない実施形態も含むことができる。したがって、本発明の範囲は、特許請求の範囲とその均等物の趣旨及び範囲に収まる限り、かかる代替形態、変更形態、及び変形形態の全てを包含するためのものである。
【図面の簡単な説明】
【００３５】
【図１】本発明の一実施形態による、血管系の一部分にアクセスする電気リードの断面図である。
【図２】本発明の実施形態に対して使用することができる、真っ直ぐに伸ばされた構造の埋め込み可能なリードの例の横断面図である。
【図３】図２に示されているリードの遠位部分の拡大横断面図である。
【図４】偏向した構造の図２のリードの概略正面図である。
【図５】図４のリードの概略側面図である。
【図６】図４のリードの概略斜視図である。
【図７】スタイレットと共に組み立てられた、図２のリードの概略側面図である。
【図８】本発明の様々な実施形態によるリードの概略側面図である。
【図９】本発明の様々な実施形態によるリードの概略側面図である。
【図１０】本発明の様々な実施形態によるリードの概略側面図である。
【図１１】本発明の様々な実施形態によるリードの概略側面図である。
【図１２】本発明の様々な実施形態によるリードの概略側面図である。
【図１３】本発明の様々な実施形態によるリードの概略側面図である。
【図１４】本発明の様々な実施形態によるリードの概略側面図である。
【図１５】本発明の様々な実施形態によるリードの概略側面図である。
【図１６】本発明の一実施形態による、リードを用いて冠状静脈洞の分枝血管にアクセスする方法を示すブロック図である。
【図１】
2009531084.tif 000003
【図２】
2009531084.tif 000004
【図３】
2009531084.tif 000005
【図４】
2009531084.tif 000006
【図５】
2009531084.tif 000007
【図６】
2009531084.tif 000008
【図７】
2009531084.tif 000009
【図８】
2009531084.tif 000010
【図９】
2009531084.tif 000011
【図１０】
2009531084.tif 000012
【図１１】
2009531084.tif 000013
【図１２】
2009531084.tif 000014
【図１３】
2009531084.tif 000015
【図１４】
2009531084.tif 000016
【図１５】
2009531084.tif 000017
【図１６】
2009531084.tif 000018
【国際調査報告】
2009531084.tif 000019
2009531084.tif 000020